(57)【特許請求の範囲】
【請求項１】
時計ケース内における時計ガラスと時計モジュールとの間に、上から順に、枠状の見切り部材、枠状の第１文字部材、板状の第２文字部材を重ねて配置した文字板であって、
前記見切り部材には、前記時計ケースの内周面の鍔部にそれぞれ上面が当接する第１当接部と第２当接部とが設けられ、
前記第１文字部材には、前記見切り部材の前記１当接部に対応する第１切欠け部と、前記第２当接部に対応して前記第１文字部材の下側に突出する凹部状の第１受け部とが設けられ、この第１受け部内には、前記第２当接部の下面に当接する第１緩衝体が配置され、
前記第２文字部材には、前記第１文字部材の前記第１受け部が挿入する第２切欠け部と、前記第１文字部材の前記第１切欠け部に対応する平坦状の第２受け部とが設けられ、この第２受け部上には、前記第１文字部材の前記第１切欠け部内に挿入して前記見切り部材の前記第１当接部の下面に当接する第２緩衝体が配置されていることを特徴とする文字板。
【請求項２】
前記見切り部材には前記時計モジュールに係止される第１フック部が設けられ、前記第１文字部材には前記時計モジュールに係止される第２フック部が設けられ、前記第１、第２フック部は、前記第１、第２文字部材の前記第１、第２緩衝体のいずれかの近傍に設けられていることを特徴とする請求項１に記載の文字板。
【請求項３】
前記第１文字部材の前記第１受け部の下面と、前記第２文字部材の前記第２受け部の下面とには、前記第１、第２文字部材を前記時計モジュールに対して位置決めする位置決め部がそれぞれ設けられていることを特徴とする請求項１または２に記載の文字板。
【発明の詳細な説明】
【技術分野】
【０００１】
この発明は、腕時計などの時計に用いられる文字板に関する。
【背景技術】
【０００２】
従来、腕時計においては、特許文献１に記載されているように、腕時計ケースの上部に時計ガラスが取り付けられ、腕時計ケースの内部に時計モジュールが配置され、この腕時計ケース内における時計ガラスと時計モジュールとの間に文字板が見切り部材によって押え付けられている。
【特許文献１】特開平９−５４５２号
【発明の開示】
【発明が解決しようとする課題】
【０００３】
しかしながら、このような従来の腕時計では、腕計ケースの内周面に見切り部材が配置され、この見切り部材の上部が時計ガラスに当接した状態で文字板の外周側上面を単に押え付けている構成であるから、腕時計ケースおよび時計ガラスに外部から衝撃が加わると、その衝撃が見切り部材を介して文字板に加わり、文字板が変形するという問題がある。
【０００４】
そこで、このような問題を解消するために、見切り部材と文字板との間に緩衝部材を設けたり、文字板と時計モジュールとの間に緩衝部材を設けたり、あるいは時計ガラスと見切り部材との間に緩衝部材を設けたりすることにより、外部からの衝撃を緩衝部材で吸収して文字板の変形を防ぐことが考えられているが、このような構造では、緩衝部材によって見切り部材を含む文字板全体の厚みが厚くなるという問題がある。
【０００５】
この発明が解決しようとする課題は、全体の厚みが厚くならずに、耐衝撃性を確保することができる文字板を提供することである。
【課題を解決するための手段】
【０００６】
この発明は、上記課題を解決するために、次のような構成要素を備えている。
なお、各構成要素には、後述する実施形態の項で説明される各要素に付されている図面の参照番号などを括弧と共に付す。
【０００７】
請求項１に記載の発明は、図１〜図８に示すように、時計ケース（腕時計ケース１）内における時計ガラス（２）と時計モジュール（３）との間に、上から順に、枠状の見切り部材（１１）、枠状の第１文字部材（１２）、板状の第２文字部材（１３）を重ねて配置した文字板であって、
前記見切り部材には、前記時計ケースの内周面の鍔部（９ａ）にそれぞれ上面が当接する第１当接部（１５）と第２当接部（１６）とが設けられ、
前記第１文字部材には、前記見切り部材の前記１当接部に対応する第１切欠け部（１９）と、前記第２当接部に対応して前記第１文字部材の下側に突出する凹部状の第１受け部（２０）とが設けられ、この第１受け部内には、前記第２当接部の下面に当接する第１緩衝体（２１）が配置され、
前記第２文字部材には、前記第１文字部材の前記第１受け部が挿入する第２切欠け部（２６）と、前記第１文字部材の前記第１切欠け部に対応する平坦状の第２受け部（２４）とが設けられ、この第２受け部上には、前記第１文字部材の前記第１切欠け部内に挿入して前記見切り部材の前記第１当接部の下面に当接する第２緩衝体（２５）が配置されていることを特徴とする文字板である。
【０００８】
請求項２に記載の発明は、図２〜図４に示すように、前記見切り部材（１１）には前記時計モジュール（３）に係止される第１フック部（１４）が設けられ、前記第１文字部材（１２）には前記時計モジュールに係止される第２フック部（２２）が設けられ、前記第１、第２フック部（１４、２２）は、前記第１、第２文字部材（１２、１３）の前記第１、第２緩衝体（２１、２５）のいずれの近傍に設けられていることを特徴とする請求項１に記載の文字板である。
【０００９】
請求項３に記載の発明は、図２〜図４に示すように、前記第１文字部材（１２）の前記第１受け部（２０）の下面と、前記第２文字部材（１３）の前記第２受け部（２４）の下面とに、前記第１、第２文字部材を前記時計モジュール（３）に対して位置決めする位置決め部（第１、第２位置決めボス２３、２７）がそれぞれ設けられていることを特徴とする請求項１または２に記載の文字板である。
【発明の効果】
【００１０】
請求項１に記載の発明によれば、枠状の見切り部材、枠状の第１文字部材、板状の第２文字部材を上から順に重ねると、見切り部材の第１当接部が第１文字部材の第１切欠け部に対応し、この第１切欠け部内に第２文字部材の第２受け部上に配置された第２緩衝体が挿入して見切り部材の第１当接部の下面に当接し、また見切り部材の第２当接部の下面に第１文字部材の第１受け部内に配置された第１緩衝体が当接し、この第１受け部が第２文字部材の第２切欠け部に挿入されているので、第１、第２文字部材を重ね合わせても、第１、第２緩衝体によって文字板全体の厚みが厚くならないようにすることができる。
【００１１】
また、第１緩衝体が見切り部材と第１文字部材との間に配置され、第２緩衝体が見切り部材と第２文字部材との間に配置されているので、時計ケースや時計ガラスが外部から衝撃を受けても、その衝撃を第１、第２緩衝体で吸収することができ、このため衝撃によって見切り部材、第１文字部材、第２文字部材がそれぞれ変形したり破損したりするのを防ぐことができ、これにより見切り部材、第１文字部材、第２文字部材をそれぞれ薄く形成しても、耐衝撃性を確保することができる。
【００１２】
請求項２に記載の発明によれば、見切り部材には時計モジュールに係止される第１フック部が設けられ、第１文字部材には時計モジュールに係止される第２フック部が設けられ、第１、第２フック部が第１、第２文字部材の第１、第２緩衝体のいずれかの近傍に設けられていることにより、第１、第２フック部を時計モジュールに係止させるだけで、見切り部材、枠状の第１文字部材、板状の第２文字部材を重ねた状態で時計モジュールに簡単に且つ容易に取り付けることができ、この状態で時計ケースや時計ガラスが外部から衝撃を受けても、その衝撃が第１、第２緩衝体で吸収されるので、衝撃によって第１、第２フック部が変形したり破損したりするのを防ぐことができる。
【００１３】
請求項３に記載の発明によれば、第１文字部材の第１受け部の下面と、第２文字部材の第２受け部の下面とに、第１、第２文字部材を時計モジュールに対して位置決めする位置決め部がそれぞれ設けられていることにより、第１、第２文字部材を時計モジュールに対して正確に位置決めすることができるほか、位置決め部がそれぞれ第１、第２緩衝体の直下に設けられていることにより、時計ケースや時計ガラスが外部から衝撃を受けても、その衝撃が第１、第２緩衝体で吸収されるので、衝撃によって位置決め部が変形したり破損したりするのを防ぐことができる。
【発明を実施するための最良の形態】
【００１４】
以下、図１〜図６を参照して、この発明を腕時計に適用した一実施形態について説明する。
図１はこの発明の腕時計を示した正面図、図２はそのＡ−Ａ矢視における断面図である。
この腕時計は、図１および図２に示すように、腕時計ケース１を備えている。この腕時計ケース１の上部には、時計ガラス２がパッキン２ａを介して取り付けられており、この腕時計ケース１の内部には、時計モジュール３が配置されている。また、この腕時計ケース１の下面には、裏蓋４が防水リング４ａを介して取り付けられており、この腕時計ケース１の側面には、押釦スイッチ５が設けられている。
【００１５】
腕時計ケース１は、図２に示すように、合成樹脂製のケース本体６と、このケース本体６の外周面に設けられたウレタン樹脂製の第１ベゼル７と、この第１ベゼル７の外表面に設けられた金属製の第２ベゼル８とで構成されている。この場合、ケース本体６中には、図２に示すように、金属製の補強部材９が埋め込まれている。この補強部材９は、その一部が時計ガラス２の下面に対応する箇所のケース本体６の内面から突出し、この突出した部分が鍔部９ａを構成している。
【００１６】
また、腕時計ケース１内における時計ガラス２と時計モジュール３との間には、図２に示すように、文字板１０が配置されている。この文字板１０は、上から順に、枠状の見切り部材１１、枠状の第１文字部材１２、板状の第２文字部材１３を重ねた構成になっている。すなわち、見切り部材１１は、図３に示すように、ほぼ円形のリング状に形成されている。この見切り部材１１の外周部には、時計モジュール３に係止される複数の第１フック部１４と、腕時計ケース１の内周面から突出した鍔部９ａにそれぞれ上面が当接する第１、第２当接部１５、１６とが設けられている。
【００１７】
この場合、第１フック部１４は、図３に示すように、見切り部材１１の互いに対向する２箇所、例えば４時付近と１０時付近とに対応する箇所に位置し、見切り部材１１の外周部の下面から下方に垂直に設けられている。第１当接部１５は、図３に示すように、見切り部材１１の対角上で、且つ第１フック部１４の近傍、例えば５時付近と１１時付近とに対応する箇所に設けられている。第２当接部１６は、第１当接部１５と同様、見切り部材１１の対角上で、例えば２時付近と８時付近とに対応する箇所に設けられている。
【００１８】
第１文字部材１２は、図３に示すように、その外径が見切り部材１１の外径とほぼ同じで、内径が見切り部材１１の内径よりも少し小さいリング状に形成され、これにより内周部が見切り部材１１の内側に突出して露出するように構成されており、この突出して露出する内周部の上面には、図１に示すように、複数の時字１７が所定間隔で設けられている。
【００１９】
この第１文字部材１２の外周部には、見切り部材１１の第１フック部１４が挿入する挿入部１８と、見切り部材１１の第１当接部１５に対応する第１切欠け部１９と、第２当接部１６の下面に対応する第１受け部２０とが設けられている。この第１受け部２０は、第１文字部材１２の下側に突出する凹部状に形成されており、この凹部状の第１受け部２０内には、第２当接部１６の下面に当接する第１緩衝体２１が上方に少し突出した状態で配置されている。
【００２０】
また、この第１文字部材１２の外周部には、時計モジュール３に係止される複数の第２フック部２２と、第１文字部材１２を時計モジュール３に対して位置決めする第１位置決めボス２３とがそれぞれ設けられている。第２フック部２２は、見切り部材１１の第１フック部１４と異なる位置、つまり第２当接部１６の近傍に位置する２時付近と８時付近とに対応する箇所にそれぞれ設けられている。また、第１位置決めボス２３は、第１文字部材１２の第１受け部２０の下面にそれぞれ垂直に設けられ、時計モジュール３に設けられた位置決め穴（図示せず）にそれぞれ挿入するように構成されている。
【００２１】
第２文字部材１３は、図３に示すように、その外径が第１文字部材１２の外径よりも少し小さいほぼ円板状に形成されている。この第２文字部材１３の中心部には指針が取り付けられる指針軸（いずれも図示せず）が挿入する貫通孔１３ａが設けられていると共に、この第２文字部材１３の所定箇所には、時刻などの情報を表示する表示パネル（図示せず）の表示領域に対応する複数の表示孔１３ｂがそれぞれ設けられている。
【００２２】
また、この第２文字部材１３の外周部には、図３に示すように、第１文字部材１２の第１切欠け部１９に対応する第２受け部２４と、第１文字部材１２の第１受け部２１の下部が挿入する第２切欠け部２６とが設けられている。第２受け部２４は、平坦状に形成されており、この第２受け部２４の上面には、第１文字部材１２の第１切欠け部１９内に挿入して見切り部材１１の第１当接部１５の下面に当接する第２緩衝体２５が配置されている。また、この第２文字部材１３の第２受け部２４の下面には、第２文字部材１３を時計モジュール３に対して位置決めする第２位置決めボス２７がそれぞれ設けられている。
【００２３】
従って、この文字板１０は、見切り部材１１、第１文字部材１２、第２文字部材１３が上から順に重ねられると、図１に示すように、見切り部材１１の内側に第１文字部材１２の内周部が突出して時字１７が見切り部材１１の上方から見えると共に、この第１文字部材１２の内側に第２文字部材１３がその外周部を除いて露出するので、貫通孔１３ａおよび複数の表示孔１３ｂが見切り部材１１および第１文字部材１２の上方から見える。
【００２４】
この状態では、図３および図４に示すように、見切り部材１１の第１当接部１５が第１文字部材１２の第１切欠け部１９に対応し、この第１切欠け部１９内に第２文字部材１３の第２受け部２４上の第２緩衝体２５が挿入して第１当接部１５の下面に当接する。また、見切り部材１１の第２当接部１６の下面には、第１文字部材１２の第１受け部２０内の第１緩衝体２１が当接すると共に、この第１受け部２０の下部が第２文字部材１３の第２切欠け部２６に挿入する。これにより、文字板１０が構成されている。
【００２５】
この文字板１０を時計モジュール３に組み付ける場合には、図２〜図４に示すように、第１文字部材１２の第１位置決めボス２３を時計モジュール３の位置決め穴（図示せず）に挿入すると共に、第２文字部材１３の第２位置決めボス２７を時計モジュール３の位置決め穴（図示せず）に挿入させる。これにより、第１文字部材１２と第２文字部材１３とが時計モジュール３に対して位置決めされると共に、見切り部材１１も時計モジュール３に対して位置決めされる。
【００２６】
この状態で、図２に示すように、見切り部材１１の第１フック部１４と第１文字部材１２の第２フック部２２とを時計モジュール３に係止させると、見切り部材１１、第１文字部材１２、第２文字部材１３が上から順に重ねられた状態で、時計モジュール３に組み付けられる。このように文字板１０が組み付けられた時計モジュール３を腕時計ケース１内に組み込むと、見切り部材１１の第１、第２当接部１５、１６の各上面が腕時計ケース１の内周面から突出した鍔部９ａの下面にそれぞれ当接し、これにより文字板１０が時計ガラス２と時計モジュール３との間に配置される。
【００２７】
ところで、この腕時計ケース１は、図５および図６に示すように、合成樹脂製のケース本体６と、このケース本体６の外周面に設けられたウレタン樹脂製の第１ベゼル７と、この第１ベゼル７の外表面に設けられた金属製の第２ベゼル８とによって耐衝撃性を有する構造になっている。この場合、ケース本体６は、その内部に金属製の補強部材９が埋め込まれていることにより、合成樹脂製であっても強度が確保されている。第１ベゼル７は、外部からの衝撃を吸収するウレタン樹脂で形成され、複数のビス７ａによってケース本体６に取り付けられている。
【００２８】
第２ベゼル８は、ステンレスなどの薄い金属板からなり、第１ベゼル７の上部外周に装着されている。すなわち、この第２ベゼル８は、図５の裏面図に示すように、全体がほぼリング状に形成され、その所定箇所に係合部３０が設けられ、この係合部３０が図６に示すように第１ベゼル７に設けられた係止溝３１に係合することにより、第１ベゼル７に装着されるように構成されている。また、この第２ベゼル８の内面には、図５に示すように、複数の補強リブ３２が放射状に設けられている。この補強リブ３２は、第２ベゼル８が外部から衝撃を受けたときに、第２ベゼル８が径方向（図６に矢印で示す方向）に開くような変形を防ぐように構成されている。
【００２９】
このように、この腕時計では、文字板１０が枠状の見切り部材１１、枠状の第１文字部材１２、板状の第２文字部材１３を上から順に重ねた構成であり、見切り部材１１の第１当接部１５が第１文字部材１２の第１切欠け部１９に対応し、この第１切欠け部１９内に第２文字部材１３の第２受け部２４上に配置された第２緩衝体２５が挿入して見切り部材１１の第１当接部１５の下面に当接し、また見切り部材１１の第２当接部１６の下面に第１文字部材１２の第１受け部２０内に配置された第１緩衝体２１が当接し、この第１受け部２０が第２文字部材１３の第２切欠け部２６内に挿入されているので、第１、第２文字部材１２、１３を重ね合わせても、第１、第２緩衝体２１、２５によって文字板１０全体の厚みが厚くならないようにすることができる。
【００３０】
また、第１緩衝体２１が見切り部材１１と第１文字部材１２との間に配置され、第２緩衝体２５が見切り部材１１と第２文字部材１３との間に配置されているので、腕時計ケース１や時計ガラス２が外部から衝撃を受けても、その衝撃を第１、第２緩衝体２１、２５によって吸収することができる。このため、見切り部材１１、第１文字部材１２、第２文字部材１３がそれぞれ衝撃によって変形したり破損したりするのを防ぐことができ、これにより見切り部材１１、第１文字部材１２、第２文字部材１３の各厚みをそれぞれ薄く形成しても、耐衝撃性を確保することができる。このため、文字板１０全体の厚みを薄くすることもできる。
【００３１】
この場合、見切り部材１１の第１フック部１４と第１文字部材１２の第２フック部２２とが第１、第２文字部材１２、１３の第１、第２緩衝体２１、２５の近傍に設けられていることにより、見切り部材１１の第１フック部１４と第１文字部材１２の第２フック部２２とを時計モジュール３に係止させるだけで、見切り部材１１、枠状の第１文字部材１２、板状の第２文字部材１３を重ねた状態で時計モジュール３に簡単に且つ容易に取り付けることができる。また、この状態で腕時計ケース１や時計ガラス２が外部から衝撃を受けても、その衝撃が第１、第２緩衝体２１、２５によって吸収されるので、衝撃によって見切り部材１１の第１フック部１４と第１文字部材１２の第２フック部２２とが変形したり破損したりするのを防ぐことができる。
【００３２】
また、第１文字部材１２の第１受け部２０の下面と、第２文字部材１３の第２受け部２４の下面とには、時計モジュール３に設けられた位置決め穴（図示せず）に挿入して第１、第２文字部材１２、１３を時計モジュール３に対して位置決めする第１、第２位置決めボス２３、２７がそれぞれ設けられていることにより、第１、第２文字部材１２、１３を時計モジュール３に対して正確に位置決めすることができるほか、第１、第２位置決めボス２３、２７が第１、第２緩衝体２１、２５の直下に位置して設けられているので、外部から衝撃を受けても、その衝撃が第１、第２緩衝体２１、２５によって吸収されることにより、衝撃によって第１、第２位置決めボス２３、２７および時計モジュールの位置決め穴がそれぞれ変形したり破損したりするのを防ぐことができる。
【００３３】
さらに、この腕時計では、腕時計ケース１が合成樹脂製のケース本体６と、このケース本体６の外周面に設けられたウレタン樹脂製の第１ベゼル７と、この第１ベゼル７の外表面に設けられた金属製の第２ベゼル８とで構成されているので、ウレタン樹脂製の第１ベゼル７によって外部からの衝撃を吸収することができ、これにより合成樹脂製のケース本体６が衝撃を受けないように保護することができると共に、このケース本体６内に設けられた時計モジュール３および文字板１０も衝撃を受けないように保護することができる。
【００３４】
この場合、第１ベゼル７の外周面には、金属製の第２ベゼル８が装着されているので、この金属製の第２ベゼル８によってウレタン樹脂製の第１ベゼル７を保護することができるほか、特に金属製の第２ベゼル８には、複数の補強リブ３２が放射状に設けられているので、金属製の第２ベゼル８が外部から衝撃を受けても、第２ベゼル８が径方向に開く変形を抑制することができ、これにより第２ベゼル８の係合部３０が第１ベゼル７の係止溝３１から外れないようにすることができる。
【００３５】
なお、上記実施形態では、第１ベゼル７の外周面に装着された金属製の第２ベゼル８の内面に複数の補強リブ３２を放射状に設けた場合について述べたが、これに限らず、例えば図７および図８に示すように、金属製の第２ベゼル３５の内面に複数の補強リブ３６を円周方向に設けても良い。このような構成でも、上述した実施形態と同様、外部から衝撃を受けても、図８に示すように、補強リブ３６によって第２ベゼル３５が径方向に開く変形を抑制することができる。
【００３６】
また、上記実施形態およびその変形例では、腕時計に適用した場合について述べたが、必ずしも腕時計である必要はなく、例えばトラベルウオッチ、目覚まし時計、置き時計、掛け時計などの各種の時計に適用することができる。
【図面の簡単な説明】
【００３７】
【図１】この発明を適用した腕時計の拡大正面図である。
【図２】図１のＡ−Ａ矢視における拡大断面図である。
【図３】図２の文字板を示した分解斜視図である。
【図４】図３の文字板を組み合わせた状態の拡大断面図である。
【図５】図１の腕時計ケースの第１、第２ベゼルを示し、（ａ）は第２ベゼルを下面側から見た斜視図、（ｂ）は第１ベゼルを上面側から見た斜視図である。
【図６】図５のＢ−Ｂ矢視における腕時計の要部を示した拡大断面図である。
【図７】腕時計ケースの第１、第２ベゼルの変形例を示し、（ａ）は第２ベゼルを下面側から見た斜視図、（ｂ）は第１ベゼルを上面側から見た斜視図である。
【図８】図７の第２ベゼルが衝撃を受けたときの外力の作用方向を示した図である。
【符号の説明】
【００３８】
１  腕時計ケース
２  時計ガラス
３  時計モジュール
６  ケース本体
７、８  第１、第２ベゼル
９  補強部材
９ａ  鍔部
１０  文字板
１１  見切り部材
１２  第１文字部材
１３  第２文字部材
１４、２２  第１、第２フック部
１５、１６  第１、第２当接部
１９、２６  第１、第２切欠け部
２０、２４  第１、第２受け部
２１、２５  第１、第２緩衝体
２３、２７  第１、第２位置決めボス
【図１】
0004775027.tif 000002
【図２】
0004775027.tif 000003
【図３】
0004775027.tif 000004
【図４】
0004775027.tif 000005
【図５】
0004775027.tif 000006
【図６】
0004775027.tif 000007
【図７】
0004775027.tif 000008
【図８】
0004775027.tif 000009